【事件の表示】
　特願２００２−１８８０８８「苗植機」拒絶査定不服審判事件〔平成１５年　３月　４日出願公開、特開２００３−　６１４２５〕について、次のとおり審決する。
【結　論】
　本件審判の請求は、成り立たない。
【理　由】
１．手続の経緯・本願発明
　本願は、平成３年２月１９日に特許出願した特願平３−４７６９６号の一部を平成１４年６月２７日に新たな特許出願（特願２００２−１８８０８８号）としたものであって、その請求項１に係る発明は、前置審査における拒絶の理由に対して平成１６年６月３０日付けの手続補正書によって補正された明細書及び出願当初の図面の記載からみて、その特許請求の範囲の請求項１に記載された次のとおりのものと認める。（以下、「本願発明」という。）
「前輪６及び後輪７を備える動力車両である本機２の後部で操縦席９の後側に上下に長いリンクベース１０を設け、該リンクベース１０にリンク１１、１２を介して植付部４を昇降可能に装着し、本機２に施肥装置５の繰出器３１を取り付けて前記リンクベース１０の上で操縦席９の後側で且つ植付部４の前側に配置すると共に、施肥装置５は前記繰出器３１から施肥ホ−ス３３を介して植付部４の苗植付位置の近くの施肥口まで肥料を移送する構成とした苗植機において、本機２のミッションに接続されて該本機２の操縦席９より前側から後側へ向けて伝動する前後方向の入力軸４５を介して操縦席９の前後中央より後側で且つ機体側面視でリンクベース１０と重複しない位置で且つ機体側面視で後輪７の外周より内側に収めて配置した内部に動力伝達機構を備えるケ−ス４０内へ伝動し、施肥装置５の繰出器３１から前後方向に延びる前後伝動機構４４と前記ケ−ス４０から上側に延設した上下に長い上下伝動機構４３とによりケ−ス４０内から上方の前記繰出器３１へ伝動する構成として、機体側面視で前記上下伝動機構４３をリンクベース１０と重複せず後輪７の外周と交差する構成とした苗植機。」
　　　　　　　　　　　　　　　　　　　　　　　　　　　　　　　　　
２．刊行物に記載された発明
　これに対して、前置審査における拒絶の理由に引用された、本願の出願前に頒布された刊行物である特開平２−４１９３２号公報（以下、「引用例１」という。）、特開昭６２−１９８３１４号公報（以下、「引用例２」という。）には、それぞれ以下の発明が記載されている。
（１）引用例１（特開平２−４１９３２号公報）
　引用例１には次の記載が認められる。 
1-a「（１）機体１の下部に前輪２，２と後輪３，３とを装着し、機体１前後方向において該前輪２，２と略同じ位置にエンジン４を装備し、該エンジン４の上方には操縦座席５を設けたことを特徴とする乗用型走行車体。
・・・
（３）エンジン４の後方にリンク機構７を介して苗植装置８を装着し、該苗植装置８とエンジン４との間に肥料や種子等の貯留タンク９と後輪３，３とを設けた請求項１記載の乗用型走行車体。」（特許請求の範囲の請求項１及び３）
1-b「エンジン４の後方にリンク機構７を介して苗植装置８を装着し、該苗植装置８とエンジン４との間に肥料や種子等の貯留タンク９と後輪３，３とを設ければ施肥装置を有する苗植装置を装着した状態で前後バランスが非常に良く・・・」（第２頁右上欄第１５−２０行）
1-c「１２は乗用型走行車体であって、機体１を構成する左右フレーム１３，１４の前後方向中央部上面にエンジン４を搭載し、該エンジン４の左側面に走行ミッションケース１５を・・・固着し」（第２頁左下欄第１２−１６行）
1-d「７は上部リンク７ａと下部リンク７ｂとにより構成されるリンク機構であって、上部リンク７ａと下部リンク７ｂの基端部は、左右フレーム１３，１４に固着された支持フレーム３３，３３，３４，３４に枢着３５，３６され・・・ている。」（第３頁右上欄第１５行−左下欄第２行）
1-e「５２は施肥装置であって、乗用型走行車体１２の左右フレーム１３，１４に固着された支持フレーム３３，３３の上端に固着された透明の樹脂より形成された４つの施肥タンク（貯留タンク）９…と、該各施肥タンク９…の下部に一体的に装着され施肥タンク９内の粒状肥料を一定量づつ繰り出す４つの肥料定量繰出装置５３…と、該肥料定量繰出装置５３にて繰り出された肥料を案内する透明の４つの施肥パイプ５４…と、・・・施肥パイプ５４にて案内された粒状肥料を該施肥溝内に落下案内する４つの作溝器５５…とにより構成されている。」（第３頁右下欄第１５行−第４頁左上欄第８行）
1-f「５６は左右フレーム１３，１４に固着された施肥伝動ケースであって、前記走行ミッションケース１５から伝動軸５７を介して動力が伝達され、該施肥伝動ケース５６の側壁に設けられた回転アーム５８が回転されるように構成されている。そして、該回転アーム５８の回転はロッド５９にて前記肥料定量繰出装置５３の駆動アーム６０に伝達され、肥料定量繰出装置５３にて施肥タンク９内の粒状肥料が一定量づつ繰り出されるように構成されている。」（第４頁右上欄第４−１３行）
1-g「６１は両端にユニバーサルジョイント６２，６２を有するＰＴＯ伝動軸であって、施肥伝動ケース５６の動力を苗植装置８の植付伝動ケース４４に伝達すべく設けている。」（第４頁右上欄第１４−１７行）
1-h「乗用型走行車体１２は・・・機体の前後バランスが非常に良い機体前後長さの短い走行安定性の優れた小型軽量の構成となり・・・」（第５頁右上欄第４−１６行）
1-i　引用例１の第１図によれば、「支持フレーム３３，３３」は、「機体１」の後部の「操縦座席５」の後側に立設されている。
上記の記載より、刊行物１には次の発明（以下、「引用発明１」という。）が記載されていると認められる。　
「機体１の下部に前輪２，２と後輪３，３とを装着し、機体１前後方向において該前輪２，２と略同じ位置にエンジン４を装備し、該エンジン４の上方には操縦座席５を設け、エンジン４の後方にリンク機構７を介して苗植装置８を装着し、該苗植装置８とエンジン４との間に肥料や種子等の貯留タンク９と後輪３，３とを設けた、前後バランスが非常に良く、機体前後長さの短い走行安定性の優れた小型軽量の乗用型走行車体１２であって、機体１を構成する左右フレーム１３，１４の前後方向中央部上面にエンジン４を搭載し、該エンジン４の左側面に走行ミッションケース１５を固着し、左右フレーム１３，１４に固着された支持フレーム３３，３３，３４，３４に上部リンク７ａと下部リンク７ｂとにより構成されるリンク機構７の基端部を枢着３５，３６し、支持フレーム３３，３３の上端に透明の樹脂より形成された４つの施肥タンク（貯留タンク）９…を固着し、各施肥タンク９…の下部に施肥タンク９内の粒状肥料を一定量づつ繰り出す４つの肥料定量繰出装置５３…を一体的に装着し、肥料定量繰出装置５３にて繰り出された肥料を案内する透明の４つの施肥パイプ５４…を備え、施肥パイプ５４…にて案内された粒状肥料を施肥溝内に落下案内する４つの作溝器５５…を設けて施肥装置５２を構成し、左右フレーム１３，１４に施肥伝動ケース５６を固着して、前記走行ミッションケース１５から伝動軸５７を介して動力が伝達され、該施肥伝動ケース５６の側壁に設けられた回転アーム５８が回転され、回転アーム５８の回転はロッド５９にて肥料定量繰出装置５３の駆動アーム６０に伝達され、肥料定量繰出装置５３にて施肥タンク９内の粒状肥料が一定量づつ繰り出されるように構成し、ユニバーサルジョイント６２，６２を有するＰＴＯ伝動軸６１を介して施肥伝動ケース５６の動力を苗植装置８の植付伝動ケース４４に伝達すべく設けた乗用型走行車体。」
　　　　　　　　　　　　　                                        
（２）引用例２（特開昭６２−１９８３１４号公報）
　引用例２には次の記載が認められる。
2-a「乗用走行車輌に田植装置等の作業装置を装着してなる水田用農作業機・・・。」（特許請求の範囲の請求項１）                        
2-b「エンジン２０は、前記メインムレーム（「メインフレーム」の誤記と解される。）７の中間部の若干後寄りに設けたエンジンフレーム２１の上に設置されている。そして、このエンジン２０の後部には出力軸２３が突出しており、該出力軸２３のプーリ２３ａからエンジンの右側方に設けられている一次伝動軸２４のプーリ２４ａにベルト２５が張架されている。一次伝動軸２４は、・・・機体の前端部付近まで延設されているその前端部にはプーリ２４ｂが取り付けられている。このプーリ２４ｂとミッションケース５のプーリ２９ａとの間にベルト２８が張架されている。走行車輌２の前端部に設けられているミッションケース５は・・・前記プーリ２９ａが取り付けられている入力軸２９から入力される回転動力を・・・作業用出力軸３３・・・から出力するようになっている。・・・作業用出力軸３３にはエンジン２０の左側部を通って機体の後端部に設けた作業装置用クラッチ４４に接続された二次伝動軸４５が接続されている。クラッチ４４からはＰＴＯ軸４６が後向きに突出しており、該ＰＴＯ軸には自在継手を介して軸４７が接続されている。二次伝動軸４５からＰＴＯ軸４６に伝えられる作業装置用動力は、軸４７を介して田植装置の苗植付伝動ケース１３０に伝えられる。」（第２頁右上欄第７行−左下欄第２０行）
2-c「走行車輌２の後端部には、作業装置牽引用の平行リンク装置１２０が設けられている。この平行リンク装置１２０は、リヤアクスルケース１１に固定して設けた背面視門形の枠体１２２と、該枠体に支持されている１本の上リンク１２３および２本の下リンク１２４，１２４と・・・からなる。上リンク１２３には基部がリヤアクスルケース１１に枢着された油圧シリンダ１２７が連結されており、この油圧シリンダ１２７を伸縮させることによって、平行リンク装置１２０が上下に回動させられるようになっている。
」（第３頁左上欄第１０行−右上欄第２行）
上記の記載より、刊行物２には次の発明（以下、「引用発明２」という。）が記載されていると認められる。
「乗用走行車輌に田植装置等の作業装置を装着してなる水田用農作業機であって、メインフレーム７の中間部の若干後寄りに設けたエンジンフレーム２１の上に設置されたエンジン２０の後部に突出した出力軸２３から一次伝動軸２４を介して走行車輌２の前端部に設けられているミッションケース５の入力軸２９に回転動力が入力され、該回転動力は、ミッションケース５の作業用出力軸３３から、機体の後端部に設けた作業装置用クラッチ４４を介してＰＴＯ軸４６に作業装置用動力として伝達されて、田植装置の苗植付伝動ケース１３０に伝えられるようになっており、走行車輌２の後端部に設けられている作業装置牽引用の平行リンク装置１２０は、リヤアクスルケース１１に固定して設けられた背面視門形の枠体１２２と、該枠体に上下に回動可能に支持されている１本の上リンク１２３および２本の下リンク１２４，１２４とからなる、水田用農作業機。」
　　　　　　　　　　　　　　　　　　　　　　　　　　　　　　　　　
３．対比・判断
　本願発明と引用発明１とを対比すると、引用発明１における「下部に前輪２，２と後輪３，３とを装着（した）機体１」は本願発明における「前輪６及び後輪７を備える動力車両である本機２」に対応しており、同様に「操縦座席５」は「操縦席９」に、「リンク機構７」は「リンク１１、１２」に、「苗植装置８」は「植付部４」に、「施肥装置５２の肥料定量繰出装置５３」は「施肥装置５の繰出器３１」に、「施肥パイプ５４」は「施肥ホ−ス３３」に、「走行ミッションケース１５」は「ミッション」に、「伝動軸５７」は「入力軸４５」に、それぞれ対応しており、引用発明１についてさらに次のことがいえる。
(i)引用発明１において、「支持フレーム３３，３３」は「機体１」の後部であって、「操縦座席５」の後側に立設され（引用例１の1-i）た、上下に長い形状を成している。
　一方、本願発明は、「本機２の後部で操縦席９の後側に上下に長いリンクベース１０を設け」るものである。
　そうすると、引用発明１における上記「支持フレーム３３，３３」は本願発明における（上下に長い）「リンクベース１０」に対応しており、同引用発明１は、本願発明における、「本機（引用発明１における「機体」が対応。）の後部で操縦席（引用発明１における「操縦座席」が対応。）の後側に上下に長いリンクベースを設け」の構成に対応する構成を備えている。
(ii) 引用発明１は「エンジン４の後方にリンク機構７を介して苗植装置８を装着」（引用例１の1-b）するものであり、該「苗植装置８」は「リンク機構７」により昇降可能に「装着」されることが明らかであるから、同引用発明１は、本願発明における、「リンクを介して植付部（引用発明１における「苗植装置８」が対応。）を昇降可能に設け」の構成に対応する構成を備えている。
(iii)引用発明１は「支持フレーム３３，３３の上端に施肥タンク（貯留タンク）９…が固着され」（引用例１の1-e）るものであるから、該「施肥タンク（貯留タンク）９」とともに「施肥装置５２を構成」している「肥料定量繰出装置５３」も「支持フレーム３３，３３」を介して「機体１」に取り付けられるものであり、また「肥料定量繰出装置５３」は、「操縦座席５」の後側で「苗植装置８」の前側に配置されている。
　そうすると、引用発明１は、本願発明における、「本機に施肥装置の繰出器（引用発明１における「肥料定量繰出装置」が対応。）を取り付けて操縦席の後側で且つ植付部の前側に配置」の構成に対応する構成を備えている。
(iv)引用発明１は「肥料定量繰出装置５３にて繰り出された肥料を案内する施肥パイプ５４にて案内された粒状肥料」を「施肥溝内に落下案内する作溝器５５」（引用例１の1-e）により「施肥装置５２を構成」するものであり、上記「作溝器５５」は「苗植装置８」の苗植付位置の近くに設けられて実質上施肥口を形成しているといえる。
　そうすると、引用発明１は、本願発明における、「施肥装置は前記繰出器（引用発明１における「肥料定量繰出装置」が対応。）から施肥ホ−ス（引用発明１における「施肥パイプ」が対応。）を介して植付部（引用発明１における「苗植装置」が対応。）の苗植付位置の近くの施肥口まで肥料を移送する」の構成に対応する構成を備えている。
(v)引用発明１は「機体１を構成する左右フレーム１３，１４の前後方向中央部上面にエンジン４を搭載し、該エンジン４の左側面に走行ミッションケース１５を固着」（引用例１の1-c）し、「走行ミッションケース１５から伝動軸５７を介して施肥伝動ケース５６」へ「動力が伝達され」（引用例１の1-f）るものであり、引用例１の特に第１図によれば、上記「施肥伝動ケース５６」は操縦席の前後中央より後側で機体側面視で支持フレーム（本願発明の「リンクベース」に対応。）と重複しない位置に設けられている。また上記「施肥伝動ケース５６」の動力は「回転アーム５８」を回転（引用例１の1-f）するとともに、「苗植装置８の植付伝動ケース４４に伝達」（引用例１の1-g）されるものであるから、該「施肥伝動ケース５６」は内部に動力伝達機構を備えるものである。
　そうすると、引用発明１は、本願発明における「本機のミッション（引用発明１における「走行ミッションケース」が対応。）に接続されて該本機の前側から後側へ向けて伝動する前後方向の入力軸（引用発明１における「伝動軸」が対応。）を介して操縦席の前後中央より後側で且つ機体側面視でリンクベース（引用発明１における「支持フレーム」が対応。）と重複しない位置で内部に動力伝達機構を備えるケ−ス（引用発明１における「施肥伝動ケース」が対応。）内へ伝動」の構成に対応する構成を備えている。
(vi)引用発明１は「走行ミッションケース１５から伝動軸５７を介して伝達され」る動力により、「施肥伝動ケース５６の側壁に設けられた回転アーム５８が回転され」、さらに「回転アーム５８の回転はロッド５９にて前記肥料定量繰出装置５３の駆動アーム６０に伝達され、肥料定量繰出装置５３にて施肥タンク９内の粒状肥料が一定量づつ繰り出されるように構成されている」（引用例１の1-f）。そして、上記「肥料定量繰出装置５３の駆動アーム６０」はその機能に照らすと本願発明における「施肥装置５の繰出器３１から前後方向に延びる前後伝動機構４４」に対応しているとともに、「施肥伝動ケース５６の側壁に設けられた回転アーム５８」の回転を「ロッド５９にて前記肥料定量繰出装置５３の駆動アーム６０に伝達」する伝達構造は本願発明における「ケ−ス４０から上側に延設した上下に長い上下伝動機構４３」に対応しており、上記「ロッド５９」は、機体側面視で支持フレーム（本願発明の「リンクベース」に対応。）と重複しない位置に設けられている。
　そうすると、引用発明１は、本願発明における、「施肥装置の繰出器から前後方向に延びる前後伝動機構と前記ケ−ス（引用発明１における「施肥伝動ケース」が対応。）から上側に延設した上下に長い上下伝動機構とによりケ−ス（引用発明１における「施肥伝動ケース」が対応。）内から上方の前記繰出器へ伝動する構成として、機体側面視で前記上下伝動機構をリンクベース１０と重複せず」の構成に対応する構成を備えている。
(vii)引用発明１は「施肥装置５」と「苗植装置８」を設けた「乗用型走行車体」であり、該「乗用型走行車体」は、その機能に照らすと本願発明における「苗植機」に相当するものである。
　そうすると、両者は以下の点で一致し、また相違していると認められる。
一致点：
前輪及び後輪を備える動力車両である本機の後部で操縦席の後側に上下に長いリンクベースを設け、リンクを介して植付部を昇降可能に設け、本機に施肥装置の繰出器を取り付けて操縦席の後側で且つ植付部の前側に配置すると共に、施肥装置は前記繰出器から施肥ホ−スを介して植付部の苗植付位置の近くの施肥口まで肥料を移送する構成とした苗植機において、本機のミッションに接続されて前後方向の入力軸を介して操縦席の前後中央より後側で且つ機体側面視でリンクベースと重複しない位置で内部に動力伝達機構を備えるケ−ス内へ伝動し、施肥装置の繰出器から前後方向に延びる前後伝動機構と前記ケ−スから上側に延設した上下に長い上下伝動機構とによりケ−ス内から上方の前記繰出器へ伝動する構成として、機体側面視で前記上下伝動機構をリンクベースと重複しない構成とした苗植機、である点。
相違点：                            
Ａ．リンクを介して昇降可能に設ける植付部を、本願発明においては、リンクベースに装着したのに対して、引用発明１においては、支持フレーム（本願発明における「リンクベース」に対応。）に上部リンクの基端部を枢着するとともに、下部リンクの基端部を上記支持フレームとは別に左右フレームに固着された「支持フレーム３４，３４」に枢着（引用例１の1-d）した点。
Ｂ．施肥装置の繰出器を、本願発明はリンクベースの上に配置したのに対して、引用発明１は、支持フレーム（本願発明における「リンクベース」に対応。）の上端に施肥装置の施肥タンク（貯留タンク）を固着するものであるが、肥料定量繰出装置（本願発明における「繰出器」に対応。）は側面視で支持フレームの上に配置されていない点。
Ｃ．前後方向の入力軸による動力の伝動が、本願発明においては、本機の操縦席より前側から後側へ向けて伝動するものであるのに対して、引用発明１においては、機体の前後方向中央部上面に搭載したエンジンの左側面に固着した走行ミッションケースから伝動するものである点。
Ｄ．後輪の外周との配置関係が、機体側面視で、本願発明においては、ケースを後輪の外周より内側に収めて配置し、上下伝動機構を後輪の外周と交差するよう配置したのに対して、引用発明１においては、施肥伝動ケース（本願発明における「ケース」に対応。）を後輪の外周より内側に収めて配置しておらず、ロッド（本願発明における「上下伝動機構」に対応。）を後輪の外周と交差するよう配置していない点。
  上記相違点について検討する。　　　　　　　　　　　　　　　　　　
（１）Ａの相違点に関して
　引用発明２は、「走行車輌２の後端部に設けられている作業装置牽引用の平行リンク装置１２０」を、「リヤアクスルケース１１に固定して設けた背面視門形の枠体１２２に上下に回動可能に支持されている１本の上リンク１２３および２本の下リンク１２４，１２４とから」構成したものである。同引用発明２において、「平行リンク装置１２０」を「上下に回動可能に支持」する「背面視門形の枠体１２２」は引用発明１における「支持フレーム」と同様に上下に長い構造であって、作業装置である苗植装置を牽引するリンクを枢着する点で機能的にも引用発明１における「支持フレーム」と共通している。そして、引用発明２を参酌して引用発明１における上記「支持フレーム」に「上部リンクの基端部」だけでなく「下部リンクの基端部」をも枢着することによりＡの相違点に係る構成を得ることは、当業者であれば容易に想到し得る事項である。
（２）Ｂの相違点に関して
　上記したように、引用発明１は、支持フレーム（本願発明における「リンクベース」に対応。）の上端に施肥装置の施肥タンク（貯留タンク）を固着するものであるが、引用例１の図面第１図に示されるように、施肥タンク（貯留タンク）の底部が肥料定量繰出装置（本願発明における「繰出器」に対応。）に向かい傾斜しており、該肥料定量繰出装置（本願発明における「繰出器」に対応。）は、施肥装置の施肥タンク（貯留タンク）が固着されている支持フレーム（本願発明における「リンクベース」に対応。）の上には配置されていない。しかしながら、引用発明１において、肥料定量繰出装置（本願発明における「繰出器」に対応。）を施肥タンク（貯留タンク）が固着されている支持フレーム（本願発明における「リンクベース」に対応。）の上に設けることは十分に可能であり、当業者であれば設計に際して適宜なし得る事項である。
（３）Ｃの相違点に関して
　引用発明２は、機体のほぼ中間部に設けた「エンジン２０」の出力軸２３から出力される動力を走行車輌２の前端部に設けられている「ミッションケース５」に伝達し、該「ミッションケース５」から機体の後端部に設けた「作業装置用クラッチ４４」を介して「ＰＴＯ軸４６」に作業装置用動力として伝達するものであり、機体の操縦席より前側に設けられた「ミッションケース５」から後側へ向けて伝動するものであるから、同引用発明２はＣの相違点を開示している。そして、引用発明２が開示する上記技術事項を参照して、引用発明１における前後方向の入力軸による動力の伝動を、本機の操縦席より前側から行うことは、単なる設計の変更にすぎない。
（４）Ｄの相違点に関して
　施肥装置を搭載した苗植機において、該施肥装置を後輪の上方に配置することは以下に例示するように周知慣用技術である。また、引用例１には、「苗植装置８とエンジン４との間に肥料や種子等の貯留タンク９と後輪３，３とを設ければ施肥装置を有する苗植装置を装着した状態で前後バランスが非常に良」（引用例１の1-b）く、また「機体前後長さの短い走行安定性の優れた小型軽量の構成」（引用例１の1-h）が得られるとして、「苗植装置８」と「エンジン４」（引用発明１においては、「操縦座席５」の下方に設けられている。）との間に「貯留タンク９と後輪３，３とを設け」ることが記載されており、該記載は、施肥装置を後輪の上方に配置することを示唆するものである。そして、引用発明１に上記周知技術を適用して、施肥装置を後輪の上方に配置することは単なる設計事項にすぎず、施肥装置を後輪の上方に配置することにより、ケースは後輪の外周より内側に収まるように配置され、また上下伝動機構は後輪の外周と交差するように配置されて、Ｄの相違点に係る構成が得られるのである。
　そして、上記ＡないしＤの相違点を備えた本願発明が奏する効果も、引用発明１並びに引用発明２及び周知慣用技術が本来奏する効果の範囲内のものであって格別なものではない。
　したがって、本願発明は、引用発明１並びに引用発明２及び周知慣用技術に基いて、当業者が容易に発明をすることができたものであるので、特許法第２９条第２項の規定により特許を受けることができない。
　　　　　　　　　　　　　　　　　　　　　　　　　　　　　　　　　
周知例
１．実願昭５８−６６１２３号（実開昭５９−１７０４２４号）の願書に添　　付した明細書及び図面の内容を撮影したマイクロフィルム
　　（肥料繰出装置と田植装置とを備えた乗用型施肥田植機であり、特に第　　　１図によれば「肥料タンク１３」及び「繰出装置１４」は「後輪５」　　　の上方に配置されている。）
２．実願昭５７−９９０５９号（実開昭５９−４２２２号）の願書に添付し　　た明細書及び図面の内容を撮影したマイクロフィルム
　　（貯留した肥料又は薬剤を泥面に供給するように繰出す「回転体２５」　　　を備えた「タンク２４」を備えた田植機であり、特に第１、２図等に　　　よれば、「回転体２５」等は「後輪２」の上方に配置されている。）
３．実願昭５８−１８２４４９号（実開昭６０−８９８２３号）の願書に添　　付した明細書及び図面の内容を撮影したマイクロフィルム　　　　　
　　（施肥装置と田植装置とを備えた乗用型施肥田植機であり、特に第１図　　　によれば、「肥料タンク７」及び「分岐ホッパー１９」は後輪側の「　　　走行車輪１２」の上方に配置されている。）
　　　　　　　　　　　　　　　　　　　　　　　　　　　　　　　　　
４．むすび
　以上のとおりであるので、本願は、前置審査で通知した拒絶の理由によって拒絶をすべきものである。
　よって、結論のとおり審決する。